(57)【要約】      （修正有）【課題】  検出判断用のしきい値を設定する際、シフト割合の設定を含めた設定を容易に行うことができる検出センサの閾値設定方法及び検出センサを提供する。【解決手段】  ファイバセンサは、モードキーが操作されたときは、閾値設定モードを実行し、ジョグスイッチがプッシュ操作されたときは（Ｓ１：ＹＥＳ）、受光量を表示し（Ｓ２，３）、ジョグスイッチに対する操作に応じてデフォルトのシフト割合を表示する（Ｓ６，１４）。次に、ジョグスイッチが操作されたときは、ジョグスイッチに対する操作に応じてシフト割合をアップしたり（Ｓ１５）、ダウンしたりする（Ｓ１６）。そして、ジョグスイッチがプッシュ操作されたときは（Ｓ９：ＹＥＳ）、受光量及びシフト割合に基づいて閾値を表示してから（Ｓ１３）、閾値は適切かを表示し（Ｓ１８，２０）、モードキーが所定操作されたときは（Ｓ１９：ＹＥＳ）、閾値設定モードから通常検出状態に復帰する。【選択図】  図６
2006238353.tif 000002
【特許請求の範囲】
【請求項１】
作業者が任意に設定したシフト割合に基づいて、被検出物体の検出状態に応じた検出信号レベルに基づく値に対して前記シフト割合分シフトした値を求めてしきい値として設定する検出センサのしきい値設定方法であって、
作業者により操作可能に設けられた第一操作手段に対する操作に応じて前記検出信号レベルのサンプリングを行うサンプル工程と、
作業者により操作可能に設けられた第二操作手段に対する操作に応じて前記シフト割合を設定するシフト設定工程と、
前記サンプル工程でサンプリングされた前記検出信号レベルに基づく所定値に対して、前記シフト設定工程で設定された前記シフト割合分シフトした値を演算で求める演算工程と、
前記演算工程で求められた値を前記しきい値として設定するしきい値設定工程と
を一連の工程として実行することを特徴とする検出センサのしきい値設定方法。
【請求項２】
前記サンプル工程は、前記シフト設定工程より前に行われることを特徴とする請求項１記載の検出センサのしきい値設定方法。
【請求項３】
前記サンプル工程は、前記シフト設定工程より前に行われると共に、
前記サンプル工程と前記シフト設定工程との間には、前記サンプル工程でサンプリングされた前記検出信号レベルに基づく所定値を表示部へ表示させる表示制御工程を一連の工程として含むことを特徴とする請求項１記載の検出センサのしきい値設定方法。
【請求項４】
前記演算工程の前記所定値は、前記サンプル工程でサンプリングされた前記検出信号レベルに対してデフォルトのシフト割合を演算処理した値であることを特徴とする請求項１ないし３の何れかに記載の検出センサのしきい値設定方法。
【請求項５】
前記演算工程の前記所定値は、前記サンプル工程でサンプリングされた検出信号レベルであることを特徴とする請求項１ないし３の何れかに記載の検出センサのしきい値設定方法。
【請求項６】
前記サンプル工程は、前記被検出物体のあるときまたは無いときの何れかにおいて前記第一操作手段が操作されたことに基づいてそのときの検出信号レベルをサンプリングすることを特徴とする請求項１ないし５の何れかに検出センサのしきい値設定方法。
【請求項７】
被検出物体の検出状態に応じたレベルの検出信号を出力する物理量検出手段と、
作業者により操作可能に設けられた第一操作手段及び第二操作手段と、
前記第一操作手段が操作されたことに応じて前記検出信号レベルをサンプリングするサンプリング手段と、
前記サンプル手段でサンプリングされた前記検出信号レベルから所定シフト割合シフトしたしきい値を設定するしきい値設定手段と、
前記第二操作手段が操作されたことに応じて前記シフト割合を設定するシフト割合設定手段とを備えた検出センサにおいて、
前記しきい値の設定に際して、
前記サンプリング手段による前記検出信号レベルのサンプル動作と、前記シフト割合設定手段による前記シフト割合の設定動作と、前記しきい値設定手段による前記しきい値の設定動作とを一連の動作として実行する制御手段を備えたことを特徴とする検出センサ。
【請求項８】
被検出物体の検出状態に応じたレベルの検出信号を出力する物理量検出手段と、
作業者により操作可能に設けられた第一操作手段及び第二操作手段と、
前記第一操作手段が操作されたことに応じて前記被検出物体の有無のそれぞれに応じた前記検出信号レベルをサンプリングするサンプリング手段と、
前記サンプリング手段でサンプリングされた各検出信号レベルの中間レベルを求める演算手段と、
前記演算手段で求められた中間レベルから所定シフト割合シフトしたしきい値を設定するしきい値設定手段と、
前記第二操作手段が操作されたことに応じて前記シフト割合を設定するシフト割合設定手段とを備えた検出センサにおいて、
前記しきい値の設定に際して、
前記サンプリング手段による前記検出信号レベルのサンプル動作と、前記演算手段による中間レベルの演算動作と、前記シフト割合設定手段による前記シフト割合の設定動作と、前記しきい値設定手段による前記しきい値の設定動作とを一連の動作として実行する制御手段を備えたことを特徴とする検出センサ。
【発明の詳細な説明】
【技術分野】
【０００１】
本発明は、作業者が任意に設定したシフト割合に基づいて、被検出物体の検出状態に応じた検出信号レベルに基づく値に対して前記シフト割合分シフトした値を求めてしきい値として設定する検出センサのしきい値設定方法及び検出センサに関する。
【背景技術】
【０００２】
例えばファイバセンサのような検出センサでは、被検出物体を検出しているときの受光信号レベルが予め設定されたしきい値に対して上回るか否かに基づいて被検出物体の検出を行うようにしている。
このようなしきい値を設定する方法としては、所謂１点ティーチングと２点ティーチングがある。１点ティーチングとは、被検出物体の無い状態（入光量が安定した状態）のみをティーチングし、その受光信号レベルに基づいてしきい値を設定するもので、背景物体がある場合の検出や、微小物を検出する場合などに適している。２点ティーチングとは、被検出物体の有る状態と無い状態の２つの状態でティーチングし、その中間レベルにしきい値を設定する方法である。
【０００３】
１点ティーチングを行う際の操作は、検出信号レベルをサンプリングした後に、その検出信号レベルに対してある所定のシフト割合（例えば１５％））シフトした値を求め、その値をしきい値に設定するようにしている（特許文献１参照）。
また、２点ティーチングを行う際の操作は、被検出物体の有る状態と無い状態の２つの状態でティーチングして得られた検出レベルに中間レベルにしきい値を設定すると共に、そのしきい値に対して必要に応じてシフト可能となっている。
【特許文献１】特開２００２−３５７６６９号公報
【発明の開示】
【発明が解決しようとする課題】
【０００４】
しかしながら、１点ティーチング或いは２点ティーチングのいずれの場合であっても、シフト操作する際のシフト割合の設定は、上述したようなしきい値を設定するためのしきい値設定モードと異なるシフト割合設定モードで行うようになっている。このため、例えば段取り換えが多く、被検出物体によって検出の余裕度を変更したいような使用環境では、まず、シフト割合設定モードでシフト割合の設定を変更してから、しきい値設定モードで受光信号レベルのティーチングを行わなければならないため、操作性が極めて悪いという欠点がある。
【０００５】
本発明は上記事情に鑑みてなされたもので、その目的は、検出判断用のしきい値を設定する際に、シフト割合の設定を含めた設定を容易に行うことができる検出センサのしきち値設定方法及び検出センサを提供することにある。
【課題を解決するための手段】
【０００６】
本発明は、作業者が任意に設定したシフト割合に基づいて、被検出物体の検出状態に応じた検出信号レベルに基づく値に対して前記シフト割合分シフトした値を求めてしきい値として設定する検出センサのしきい値設定方法であって、作業者により操作可能に設けられた第一操作手段に対する操作に応じて前記検出信号レベルのサンプリングを行うサンプル工程と、作業者により操作可能に設けられた第二操作手段に対する操作に応じて前記シフト割合を設定するシフト設定工程と、前記サンプル工程でサンプリングされた前記検出信号レベルに基づく所定値に対して、前記シフト設定工程で設定された前記シフト割合分シフトした値を演算で求める演算工程と、前記演算工程で求められた値を前記しきい値として設定するしきい値設定工程とを一連の工程として実行するものである（請求項１）。
【０００７】
上記方法において、前記サンプル工程は、前記シフト設定工程より前に行われるようにしてもよい（請求項２）。
また、前記サンプル工程は、前記シフト設定工程より前に行われ、前記サンプル工程と前記シフト設定工程との間には、前記サンプル工程でサンプリングされた前記検出信号レベルに基づく所定値を表示部へ表示させる表示制御工程を一連の工程として含むようにしてもよい（請求項３）。
【０００８】
また、前記演算工程の前記所定値は、前記サンプル工程でサンプリングされた前記検出信号レベルに対してデフォルトのシフト割合を演算処理した値であるようにしてもよい（請求項４）。
また、前記演算工程の前記所定値は、前記サンプル工程でサンプリングされた検出信号レベルであるようにしてもよい（請求項５）。
また、前記サンプル工程は、前記被検出物体のあるときまたは無いときの何れかにおいて前記第一操作手段が操作されたことに基づいてそのときの検出信号レベルをサンプリングするようにしてもよい（請求項６）。
【０００９】
本発明は、被検出物体の検出状態に応じたレベルの検出信号を出力する物理量検出手段と、作業者により操作可能に設けられた第一操作手段及び第二操作手段と、前記第一操作手段が操作されたことに応じて前記検出信号レベルをサンプリングするサンプリング手段と、前記サンプル手段でサンプリングされた前記検出信号レベルから所定シフト割合シフトしたしきい値を設定するしきい値設定手段と、前記第二操作手段が操作されたことに応じて前記シフト割合を設定するシフト割合設定手段とを備えた検出センサにおいて、前記しきい値の設定に際して、前記サンプリング手段による前記検出信号レベルのサンプル動作と、前記シフト割合設定手段による前記シフト割合の設定動作と、前記しきい値設定手段による前記しきい値の設定動作とを一連の動作として実行する制御手段を設けたものである（請求項７）。
【００１０】
本発明は、被検出物体の検出状態に応じたレベルの検出信号を出力する物理量検出手段と、作業者により操作可能に設けられた第一操作手段及び第二操作手段と、前記第一操作手段が操作されたことに応じて前記被検出物体の有無のそれぞれに応じた前記検出信号レベルをサンプリングするサンプリング手段と、前記サンプリング手段でサンプリングされた各検出信号レベルの中間レベルを求める演算手段と、前記演算手段で求められた中間レベルから所定シフト割合シフトしたしきい値を設定するしきい値設定手段と、前記第二操作手段が操作されたことに応じて前記シフト割合を設定するシフト割合設定手段とを備えた検出センサにおいて、前記しきい値の設定に際して、前記サンプリング手段による前記検出信号レベルのサンプル動作と、前記演算手段による中間レベルの演算動作と、前記シフト割合設定手段による前記シフト割合の設定動作と、前記しきい値設定手段による前記しきい値の設定動作とを一連の動作として実行する制御手段を設けたものである（請求項８）。
【発明の効果】
【００１１】
請求項１，７の発明によれば、一連の工程にシフト割合を設定したシフト設定工程が含まれているので、一連の工程を実行すると、余裕度を見込んだしきい値を設定することができ、しきい値の設定を容易に行うことができる。
請求項２の発明によれば、サンプル工程でサンプリングされた検出信号レベルに基づく所定値によりしきい値を設定することができるので、シフト割合の設定を容易に行うことができる。
【００１２】
請求項３の発明によれば、サンプル工程でサンプリングされた検出信号レベルに基づく所定値を確認した上で、シフト設定工程を実行することにより余裕度を見込んだしきい値を設定することができるので、最適なシフト割合の設定を行うことができる。
請求項４の発明によれば、演算工程で求められる所定値は、検出信号レベルに対してデフォルトのシフト割合を演算処理した値であるので、その値が適切の場合は、演算工程を省略することができ、作業性を向上することができる。
【００１３】
請求項５の発明によれば、所定値を演算処理によって求める工程が不要であるので、処理を単純化することができる。
請求項６の発明によれば、本発明を所謂１点ティーチングによるしきい値設定に適用することができる。
請求項８の発明によれば、本発明を所謂２点ティーチングによるしきい値設定に適用することができる。
【発明を実施するための最良の形態】
【００１４】
（第１実施例）
以下、本発明の検出センサをファイバセンサに適用した第１実施例について、図１ないし図６を参照して説明する。
図２は、ファイバセンサの外観斜視図である。この図２において、ファイバセンサ（検出センサに相当）１のケース２の上面部２ａには、動作表示灯３、安定表示灯４、第１のモード表示部５、第２のモード表示部６、表示部７、モードキー８およびジョグスイッチ（第一操作手段、第二操作手段に相当）９が配設されている。
【００１５】
ファイバセンサ１の平面を示す図３において、第１のモード表示部５は、検出モードであるときに点灯する「ＲＵＮ」表示灯５ａ、しきい値設定モードであるときに点灯する「ＴＥＡＣＨ」表示灯５ｂが配列されて構成されている。第２のモード表示部６は、受光時オンか非受光時オンかを設定するときに点灯する「Ｌ／Ｄ  ＯＮ」表示灯６ａ、タイマを使用するか否かを設定するときに点灯する「ＴＩＭＥＲ」表示灯６ｂおよびメモリ機能などの高度な機能を設定するときに点灯する「ＰＲＯ」表示灯６ｃが配列されて構成されている。
【００１６】
表示部７は、第１のデジタル表示部１０と第２のデジタル表示部１１とから構成されている。第１のデジタル表示部１０は、４桁の７セグメントＬＥＤ１０ａ〜１０ｄを備え、４桁のデジタル表示が可能に構成されている。第２のデジタル表示部１１は、４桁の７セグメントＬＥＤ１１ａ〜１１ｄを備え、４桁のデジタル表示が可能に構成されている。モードキー８は、作業者がモードを選択するキーであり、ジョグスイッチ９は、作業者が選択されたモード内の詳細な項目を設定したり，数値を変更したりするためのスイッチである。
【００１７】
ケース２の前面部２ｂには、投光ヘッド１２ａが先端部に取付けられている投光用ファイバ１２が装着されていると共に、受光ヘッド１３ａが先端部に取付けられている受光用ファイバ１３が装着されている。このような透過型ファイバ１２，１３を装着した場合は、ファイバセンサ１は、投光素子１８（図１参照）から投じられた光が投光用ファイバ１２を通じて投光ヘッド１２ａから出力され、受光ヘッド１３ａに入力されて受光用ファイバ１３を通じて受光素子（物理量検出手段に相当）２０（図１参照）に受光されたか否かに応じて被検出物体の検出を行うようになっている。尚、ケース２の前面部２ｂには、投受光ヘッドが先端部に取付けられている反射型ファイバも装着可能となっており、被検出物体の検出形態に応じて種々の仕様のファイバが装着可能となっている。
【００１８】
また、ケース２の両側面部２ｃ，２ｄには光通信用窓１４，１５が設けられている。この光通信用窓１４，１５は、複数のファイバセンサ１が隣接配置されている場合に隣接する他のファイバセンサ１との間でしきい値などの設定情報を示す光信号が通過するためのものである。
【００１９】
図１は、ファイバセンサ１の電気的な構成を機能ブロック図として示している。ファイバセンサ１は、マイクロコンピュータからなる制御回路（サンプル手段、しきい値設定手段、シフト割合設定手段、制御手段に相当）１６に、各表示灯３，４，５ａ，５ｂ，６ａ〜６ｃの点灯動作および各デジタル表示部１０，１１の表示動作を制御する表示制御回路１７と、投光素子１８を駆動する駆動回路１９と、受光素子２０から出力された検出信号を増幅する増幅回路２１と、隣接する他のファイバセンサ１との間で信号を光通信により送受信する光通信回路２２と、出力信号を外部に出力する出力回路２３とが接続されて構成されている。
【００２０】
次に上記構成の作用について説明する。
被検出物体を検出する場合は、受光量（検出信号レベルに相当）の検出条件となるしきい値を予め設定する必要があるものの、例えば図４に示すように透過型ファイバ１２，１３で微小物体Ａを検出するような場合、微小物体Ａの検出は、微小物体Ａの有無に応じた受光量の変化が小さいことから、不安定となる。同様に、図５に示すように反射型ファイバ２４で背景物体Ｂの前面に位置する被検出物体（図示せず）を検出する場合は、背景物体Ｂの影響を受けて被検出物体の検出は不安定となる。
【００２１】
このような不安定な検出条件では、被検出物体の有無での受光量に基づいてしきい値を設定する２点ティーチングよりも、１点ティーチングが有効である。この１点ティーチングでは、被検出物体が検出領域に位置していない状態での受光量を求め、その受光量に対して所定のシフト割合だけシフトした値をしきい値として設定するものである。
【００２２】
作業者は、例えば透過型ファイバ１２，１３を設置する場合は、透過型ファイバ１２，１３の検出領域に被検出物体の微小物体Ａが位置するように位置決めした状態でモードキー８を１回押す。これにより、ファイバセンサ１は、しきい値設定モードが指示されたと判断して、しきい値設定モードを実行する。
【００２３】
次に、作業者は、微小物体Ａが検出領域に無い状態でジョグスイッチ９をプッシュ操作する。
図６は、ファイバセンサ１のしきい値設定モードを示している。この図６において、ファイバセンサ１は、ジョグスイッチ９がプッシュ操作されたときは（Ｓ１：ＹＥＳ）、受光量のサンプリングを行い（Ｓ２）、その受光量を第１のデジタル表示部１０に表示する（Ｓ３）。このように受光量をサンプリングする動作がサンプル工程に相当し、サンプリングした受光量を表示する動作が表示制御工程に相当する。
【００２４】
続けて、ファイバセンサ１は、ジョグスイッチが＋側へ操作されるか（Ｓ４）、−側へ操作されるかを監視する（Ｓ５）。
作業者は、透過型ファイバ１２，１３を設置した場合は、微小物体Ａの検出状態で受光量が低下することから、感度を高めるためにジョグスイッチ９を−側へ操作する。また、反射型ファイバ２４を設置した場合は、被検出物体の検出状態で受光量が上昇することから、感度を低めるためにジョグスイッチ９を＋側へ操作する。
【００２５】
ファイバセンサ１は、ジョグスイッチ９が＋側へ操作されたときは（Ｓ４：ＹＥＳ）、＋側シフト割合（デフォルト値として例えば＋１５％）を第２のデジタル表示部１１に表示し、ジョグスイッチ９が−側へ操作されたときは（Ｓ５：ＹＥＳ）、−側シフト割合（デフォルト値として例えば−１５％）を表示する。
以上の動作により、ファイバセンサ１のデジタル表示部１０，１１には、現在の受光量とジョグスイッチ９の操作に応じたデフォルトのシフト割合（＋１５％または−１５％）が表示される。
【００２６】
次に、作業者は、第２のデジタル表示部１１に表示されているシフト割合を高めたい場合は、ジョグスイッチ９を＋側に操作し、シフト割合を低下したい場合は、ジョグスイッチ９を−側に操作することにより所望のシフト割合を設定する。
ファイバセンサ１は、ジョグスイッチ９が＋側に操作されたときは（Ｓ７：ＹＥＳ）、シフト割合をアップし（Ｓ１５）、ジョグスイッチ９が−側に操作されたときは（Ｓ８：ＹＥＳ）、シフト割合をダウンする（Ｓ１６）。
【００２７】
作業者は、上述のようにして所望のシフト割合を設定したときは、ジョグスイッチ９をプッシュ操作する。
ファイバセンサ１は、ジョグスイッチ９がプッシュ操作されたときは（Ｓ９：ＹＥＳ）、シフト割合を決定する（Ｓ１０）。このようにシフト割合を設定する動作がシフト設定工程に相当する。
【００２８】
次に、ファイバセンサ１は、受光量とシフト割合からしきい値を演算すると共に（Ｓ１１）、しきい値を第１のデジタル表示部１０に表示する（Ｓ１３）。このようにしきい値を演算する動作が演算工程に相当する。
次に、ファイバセンサ１は、受光量としきい値との差に基づいてしきい値が適切かを判断する（Ｓ１７）。受光量としきい値との差が十分の場合は第２のデジタル表示部１１に「９ｏｏｄ」と表示し、不十分の場合は「ＨＡｒｄ」と表示する。従って、作業者は、表示された判断結果に基づいてしきい値を適切に設定できたかを確認することができる。
【００２９】
作業者は、第２のデジタル表示部１１に「９ｏｏｄ」と表示された場合は、シフト割合の設定が適切であることから、そのしきい値を設定するときは、モードキーを５回操作するか、２秒以上操作する。
ファイバセンサ１は、モードキー８が所定操作されたときは、しきい値設定モードを終了して通常検出状態に移行する。
また、作業者は、第２のデジタル表示部１１に「ＨＡｒｄ」と表示された場合は、シフト割合の設定が不適切であることから、上述したのと同様にして、ジョグスイッチ９をプッシュ操作した際に「９ｏｏｄ」と表示されるまでジョグスイッチ９を操作し、「９ｏｏｄ」と表示されたところで、モードキー８に対する所定操作により通常検出状態に復帰する。
【００３０】
このような実施例によれば、ファイバセンサ１は、シフト割合の設定をしきい値設定モードの一連の工程に含めて実行するようにしたので、シフト割合の設定を含めたしきい値の設定を容易に行うことができる。従って、シフト割合の設定をしきい値設定モードと異なるモードで設定しなければならない従来例のものと違って、段取り換えが多く、被検出物体によって検出の余裕度を変更したいような使用環境であっても、段取りが容易となり、段取り作業の効率を高めることができる。
しかも、このようなシフト割合の設定工程をしきい値設定モードに含めるには、１点ティーチングのプログラムの変更で実施することができるので、コストが大幅に上昇することなく実施することができる。
【００３１】
（第２実施例）
次に、本発明の第２実施例について図７を参照して説明するに、第１実施例と同一ステップには同一ステップ符号を付して説明を省略する。この第２実施例は、第１実施例におけるデフォルトのシフト割合の表示を省略したことを特徴とする。
ファイバセンサ１のしきい値設定モードの動作を示す図７において、ファイバセンサ１は、ジョグスイッチ９がプッシュ操作されたときは（Ｓ１：ＹＥＳ）、受光量をサンプリングし（Ｓ２）、受光量を表示する（Ｓ３）と共にシフト割合として基準値の「０％」を表示する（Ｓ３１）。
【００３２】
次に、作業者によるジョグスイッチ９に対する＋側への操作に応じてシフト割合をアップし（Ｓ１５）、−側への操作に応じてシフト割合をダウンし（Ｓ１６）、ジョグスイッチ９がプッシュ操作されたときは（Ｓ９：ＹＥＳ）、シフト割合を決定してから（Ｓ１０）、演算処理（Ｓ１１）によりしきい値を決定すると共に（Ｓ１２）、そのしきい値を第１のデジタル表示部１０に表示する（Ｓ１３）。以下、上述した第１実施例と同様に、しきい値が適切かを判断し（Ｓ１７）、その判断結果を表示し（Ｓ１８，Ｓ２０）、モードキー８が所定操作されたときは（Ｓ１９：ＹＥＳ）、通常検出状態に復帰する。
【００３３】
このような実施例によれば、ファイバセンサ１は、しきい値設定モードにおいて受光量をサンプリングしたときは、ジョグスイッチ９に対する操作によりデフォルトのシフト割合を表示することなく、シフト割合をジョグスイッチ９に対する操作に応じて基準値の０％から変更するようにしたので、作業者の熟練度にかかわらず容易にしきい値の設定作業を行うことができる。
【００３４】
（第３実施例）
次に、本発明の第３実施例について図８を参照して説明する。この第３実施例は、しきい値設定モードの一連の工程で、シフト割合の設定を最初に行うようにしたことを特徴とする。
ファイバセンサ１のしきい値設定モードを示す図８において、ファイバセンサ１は、ジョグスイッチ９がプッシュ操作されたときは（Ｓ１：ＹＥＳ）、シフト割合として基準値の「０％」を表示する（Ｓ３１）。
【００３５】
次に、ジョグスイッチ９に対する操作に応じてシフト割合をアップしたり（Ｓ１５）、ダウンしたりすると共に（Ｓ１６）、ジョグスイッチ９がプッシュ操作されたときは（Ｓ９：ＹＥＳ）、シフト割合を決定してから（Ｓ１０）、受光量をサンプリングすると共に（Ｓ２）、受光量を表示する（Ｓ３）。続けて、演算処理（Ｓ１１）によりしきい値を決定してから（Ｓ１２）、そのしきい値を第１のデジタル表示部１０に表示する（Ｓ１３）。以下、上述した第１実施例と同様に、しきい値が適切かを判断し（Ｓ１７）、その判断結果を表示し（Ｓ１８，Ｓ２０）、モードキー８が所定操作されたときは（Ｓ１９：ＹＥＳ）、通常検出状態に復帰する。
【００３６】
このような実施例によれば、ファイバセンサ１は、しきい値設定モードを実行する場合は、しきい値設定モードの最初にシフト割合の設定を行うようにしたので、しきい値設定モードの一連の工程中にシフト割合の設定工程を含めることができる。従って、第１実施例と同様に、段取り換えが多く、被検出物体によって検出の余裕度を変更したいような使用環境であっても、段取りが容易となり、段取り作業の効率を高めることができる。
【００３７】
（第４実施例）
次に、本発明の第４実施例について図９を参照して説明する。この第４実施例は、２点ティーチングによるしきい値設定を示している。尚、第１実施例で示したしきい値設定モードでは、１点ティーチングの例を示したが、ファイバセンサ１は、しきい値設定モードを実行する場合は、操作手順により１点ティーチングか２点ティーチングの何れかを判断するようになっている。
【００３８】
ファイバセンサ１のしきい値設定モードの動作を示す図９において、作業者は、２点ティーチングを行う場合は、被検出物体が検出領域に位置している状態でジョグスイッチ９を操作するのに続いて、被検出物体が検出領域に位置していない状態でジョグスイッチ９を操作する。
【００３９】
ファイバセンサ１は、ジョグスイッチ９がプッシュ操作されたときは（Ｓ１：ＹＥＳ）、そのときの受光量を表示し（Ｓ２，３）、続けてジョグスイッチ９がプッシュ操作されたときは（Ｓ１’）、２点ティーチングが指示されたと判断し、そのときの受光量を表示してから（Ｓ２’，Ｓ３’）、シフト割合として基準値の「０％」を表示する（Ｓ３１）。
【００４０】
次に、ジョグスイッチ９に対する操作に応じてシフト割合をアップしたり（Ｓ１５）、ダウンしたりすると共に（Ｓ１６）、ジョグスイッチ９がプッシュ操作されたときは（Ｓ９：ＹＥＳ）、シフト割合を決定する（Ｓ１０）。続けて、演算処理（Ｓ１１）によりしきい値を決定してから（Ｓ１２）、そのしきい値を第１のデジタル表示部１０に表示する（Ｓ１３）。以下、上述した第１実施例と同様に、しきい値が適切かを判断し（Ｓ１７）、その判断結果を表示し（Ｓ１８，Ｓ２０）、モードキー８が所定操作されたときは（Ｓ１９：ＹＥＳ）、通常検出状態に復帰する。
【００４１】
このような実施例によれば、ファイバセンサ１は、２点ティーチングを行う際に、シフト割合の設定をしきい値設定モードの一連の工程に含めるようにしたので、第１実施例と同様に、段取り換えが多く、被検出物体によって検出の余裕度を変更したいような使用環境であっても、段取りが容易となり、段取り作業の効率を高めることができる。
【００４２】
本発明は、上記した実施形態にのみ限定されるものではなく、以下のように変形または拡張することができる。
検出センサは、ファイバセンサに限らず、光電センサ、リミットセンサ、磁気センサ、超音波センサなどの他のセンサであっても良い。
複数のファイバセンサが連結された構成であっても良い。
表示部を１個のデジタル表示部とし、表示内容を切り替えるようにしてもよい。
受光量をティーチングするキー（第一操作手段に相当）とシフト割合を設定するキー（第二操作手段に相当）とを個別に設けて構成するようにしてもよい。
シフト割合の設定を例えばディップスイッチのような機械式のスイッチを用いて設定するようにしてもよい。
【図面の簡単な説明】
【００４３】
【図１】本発明の第１実施例におけるファイバセンサの電気的構成を示す機能ブロック図
【図２】ファイバセンサの斜視図
【図３】ファイバセンサのデジタル表示部を示す平面図
【図４】微小物体の検出状態を示す透過型ファイバの斜視図
【図５】背景が存在する検出状態を示す反射型ファイバの斜視図
【図６】ファイバセンサのしきい値設定モードを示すフローチャート
【図７】本発明の第２実施例を示す図６相当図
【図８】本発明の第３実施例を示す図６相当図
【図９】本発明の第４実施例を示す図６相当図
【符号の説明】
【００４４】
図面中、１はファイバセンサ（検出センサ）、９はジョグスイッチ（第一操作手段、第二操作手段）、１６は制御回路（サンプル手段、しきい値設定手段、シフト割合設定手段、制御手段）、２０は受光素子（物理量検出手段）である。
【図１】
2006238353.tif 000003
【図２】
2006238353.tif 000004
【図３】
2006238353.tif 000005
【図４】
2006238353.tif 000006
【図５】
2006238353.tif 000007
【図６】
2006238353.tif 000008
【図７】
2006238353.tif 000009
【図８】
2006238353.tif 000010
【図９】
2006238353.tif 000011